Podtech/llm-jp-corpus-v4-ja_patent huggingface dataset:
【手続補正書】
【提出日】平成15年11月18日(2003.11.18)
【手続補正１】
【補正対象書類名】明細書
【補正対象項目名】特許請求の範囲
【補正方法】変更
【補正の内容】
【特許請求の範囲】
【請求項１】
画像形成装置本体に着脱可能であり、現像剤を収納する現像剤収納容器において、
開口部と、この開口部をシールするシール部材と、このシール部材を開封する力を与えるために駆動を伝達する駆動伝達手段と、前記現像剤収納容器内で現像剤に接触して回転する回転部材と、を有し、前記駆動伝達手段は、前記シール部材の開封動作が終了した後、前記回転部材に駆動を伝達することを特徴とする現像剤収納容器。
【請求項２】
前記現像剤収納容器は、前記シール部材を開封するために前記シール部材を巻き取る巻き取り部材を有し、この巻き取り部材は、前記駆動伝達手段によって駆動を伝達されることを特徴とする請求項１の現像剤収納容器。
【請求項３】
前記回転部材は、前記現像剤を攪拌する攪拌部材であることを特徴とする請求項１又は２の現像剤収納容器。
【請求項４】
前記現像剤収納容器は、前記シール部材の開封動作が終了したことを検知する検知部を有することを特徴とする請求項１乃至３のいずれかの現像剤収納容器。
【請求項５】
前記検知部は、前記シール部材の開封動作によって切断される切断可能な導電部であり、前記切断可能な導電部が切断されたかどうかを検知するため前記切断可能な導電部が導通状態かどうかを前記画像形成装置本体で検知することを特徴とする請求項４の現像剤収納容器。
【請求項６】
前記シール部材は、前記現像剤収納容器が前記画像形成装置本体の所定位置に装着されたかどうかを検知するための第２の導電部を備え、前記シール部材の開封動作によって、前記第２の導電部が切断されることなく前記切断可能な導電部は切断されることを特徴とする請求項５の現像剤収納容器。
【請求項７】
前記第２の導電部は、前記切断可能な導電部よりも、前記シール部材が開封されていく方向の下流側に設けられることを特徴とする請求項６の現像剤収納容器。
【請求項８】
画像形成装置本体に着脱可能であり、像担持体に形成された静電像を現像剤で現像する現像装置であって、
前記静電像を現像する現像位置に前記現像剤を担持搬送する現像剤担持体を備える現像容器と、前記現像剤を収納する現像剤収納容器と、を有し、この現像剤収納容器と前記現像容器との間に現像剤を前記現像剤収納容器から前記現像容器へ排出する開口部が設けられる現像装置において、
前記開口部をシールするシール部材と、このシール部材を開封する力を与えるために駆動を伝達する駆動伝達手段と、前記現像剤収納容器内で現像剤に接触して回転する回転部材と、を有し、前記駆動伝達手段は、前記シール部材の開封動作が終了した後、前記回転部材に駆動を伝達することを特徴とする現像装置。
【請求項９】
前記現像剤収納容器は、前記シール部材を開封するために前記シール部材を巻き取る巻き取り部材を有し、この巻き取り部材は、前記駆動伝達手段によって駆動を伝達されることを特徴とする請求項８の現像装置。
【請求項１０】
前記回転部材は、前記現像剤を攪拌する攪拌部材であることを特徴とする請求項９又は１０の現像装置。
【請求項１１】
前記現像剤収納容器は、前記シール部材の開封動作が終了したことを検知する検知部を有することを特徴とする請求項８乃至１０のいずれかの現像装置。
【請求項１２】
前記検知部は、前記シール部材の開封動作によって切断される切断可能な導電部であり、前記切断可能な導電部が切断されたかどうかを検知するため前記切断可能な導電部が導通状態かどうかを前記画像形成装置本体で検知することを特徴とする請求項１１の現像装置。
【請求項１３】
前記シール部材は、前記現像剤収納容器が前記画像形成装置本体の所定位置に装着されたかどうかを検知するための第２の導電部を備え、前記シール部材の開封動作によって、前記第２の導電部が切断されることなく前記切断可能な導電部は切断されることを特徴とする請求項１２の現像装置。
【請求項１４】
前記第２の導電部は、前記切断可能な導電部よりも、前記シール部材が開封されていく方向の下流側に設けられることを特徴とする請求項１３の現像装置。
【請求項１５】
前記像担持体は感光体であることを特徴とする請求項８乃至１４のいずれかの現像装置。
【請求項１６】
画像形成装置本体に着脱可能なプロセスカートリッジであって、
像担持体と、
前記像担持体に形成された静電像を現像剤で現像する現像装置であって、前記静電像を現像する現像位置に前記現像剤を担持搬送する現像剤担持体を備える現像容器と、前記現像剤を収納する現像剤収納容器と、を有し、この現像剤収納容器と前記現像容器との間に現像剤を前記現像剤収納容器から前記現像容器へ排出する開口部が設けられる現像装置と、
を有するプロセスカートリッジにおいて、
前記開口部をシールするシール部材と、このシール部材を開封する力を与えるために駆動を伝達する駆動伝達手段と、前記現像剤収納容器内で現像剤に接触して回転する回転部材と、を有し、前記駆動伝達手段は、前記シール部材の開封動作が終了した後、前記回転部材に駆動を伝達することを特徴とするプロセスカートリッジ。
【請求項１７】
前記現像剤収納容器は、前記シール部材を開封するために前記シール部材を巻き取る巻き取り部材を有し、この巻き取り部材は、前記駆動伝達手段によって駆動を伝達されることを特徴とする請求項１６のプロセスカートリッジ。
【請求項１８】
前記回転部材は、前記現像剤を攪拌する攪拌部材であることを特徴とする請求項１６又は１７のプロセスカートリッジ。
【請求項１９】
前記現像剤収納容器は、前記シール部材の開封動作が終了したことを検知する検知部を有することを特徴とする請求項１６乃至１８のいずれかのプロセスカートリッジ。
【請求項２０】
前記検知部は、前記シール部材の開封動作によって切断される切断可能な導電部であり、前記切断可能な導電部が切断されたかどうかを検知するため前記切断可能な導電部が導通状態かどうかを前記画像形成装置本体で検知することを特徴とする請求項１９のプロセスカートリッジ。
【請求項２１】
前記シール部材は、前記現像剤収納容器が前記画像形成装置本体の所定位置に装着されたかどうかを検知するための第２の導電部を備え、前記シール部材の開封動作によって、前記第２の導電部が切断されることなく前記切断可能な導電部は切断されることを特徴とする請求項２０のプロセスカートリッジ。
【請求項２２】
前記第２の導電部は、前記切断可能な導電部よりも、前記シール部材が開封されていく方向の下流側に設けられることを特徴とする請求項２１のプロセスカートリッジ。
【請求項２３】
前記像担持体は感光体であることを特徴とする請求項１６乃至２２のいずれかのプロセスカートリッジ。
【請求項２４】
現像剤を収納する現像剤収納容器であって、
開口部と、この開口部をシールするシール部材と、このシール部材を開封する力を与えるために駆動を伝達する駆動伝達手段と、前記現像剤収納容器内で現像剤に接触して回転する回転部材と、を有する現像剤収納容器が画像形成装置本体に着脱可能な画像形成装置において、
前記装置は、前記駆動伝達手段に駆動を伝達する駆動手段を有し、前記駆動伝達手段は、前記シール部材の開封動作が終了した後、前記回転部材に駆動を伝達することを特徴とする画像形成装置。
【手続補正書】
【提出日】平成15年12月24日(2003.12.24)
【手続補正１】
【補正対象書類名】明細書
【補正対象項目名】発明の名称
【補正方法】変更
【補正の内容】
【発明の名称】画像形成装置


【手続補正２】
【補正対象書類名】明細書
【補正対象項目名】特許請求の範囲
【補正方法】変更
【補正の内容】
【特許請求の範囲】
【請求項１】
画像形成手段と、前記画像形成手段により形成されたトナー像を担持して回転する像担持体と、前記像担持体上の画像処理後の残留トナーを除去するクリーニング装置とを有する画像形成装置において、
前記クリーニング装置の両端部の内壁に、トナー漏出防止部材を設置して前記クリーニング装置の両端部からのトナー漏出を防止するとともに、前記トナー漏出防止部材の延長面を前記像担持体の両端部に設けたフランジ部材の端面全周に摺接させ、前記像担持体のフランジ部材の端面からのトナー漏出を防止することを特徴とする画像形成装置。
【請求項２】
前記トナー漏出防止部材は、前記フランジ部材の端面全周に摺接するとともに、前記クリーニング装置のクリーニングブレードの両端部、及びシート状のトナーガイド部材の両端部に当接することを特徴とする請求項１に記載の画像形成装置。
【請求項３】
前記トナー漏出防止部材は、前記フランジ部材の端面、クリーニングブレードの両端部、トナーガイド部材の両端部に当接するシール部材、及び該シール部材の背面に接合された弾性部材とから成ることを特徴とする請求項１又は２に記載の画像形成装置。
【請求項４】
前記シール部材は高密度繊維状のフェルト材であることを特徴とする請求項１〜３の何れか１項に記載の画像形成装置。
【請求項５】
前記弾性部材は発泡樹脂材であることを特徴とする請求項１〜３の何れか１項に記載の画像形成装置。
【請求項６】
前記像担持体の両端部及びクリーニング装置の両端部に設けられた前記トナー漏出防止部材は、前記シール部材、弾性部材及び保持部材とから成るユニットに形成され、画像形成装置本体の両側板間に着脱可能に支持されていることを特徴とする請求項１ないし５の何れか１項に記載の画像形成装置。
【手続補正３】
【補正対象書類名】明細書
【補正対象項目名】０００７
【補正方法】変更
【補正の内容】
【０００７】
【発明が解決しようとする課題】
図８（ａ）は従来のクリーニング装置の一例を示す正面図、図８（ｂ）は部分斜視図である。


【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１３
【補正方法】変更
【補正の内容】
【００１３】
上記の課題を達成する本発明の画像形成装置は、画像形成手段と、前記画像形成手段により形成されたトナー像を担持して回転する像担持体と、前記像担持体上の画像処理後の残留トナーを除去するクリーニング装置とを有する画像形成装置において、
前記クリーニング装置の両端部の内壁に、トナー漏出防止部材を設置して前記クリーニング装置の両端部からのトナー漏出を防止するとともに、前記トナー漏出防止部材の延長面を前記像担持体の両端部に設けたフランジ部材の端面全周に摺接させ、前記像担持体のフランジ部材の端面からのトナー漏出を防止することを特徴とするものである（請求項１の発明）。


【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００５３
【補正方法】削除
【補正の内容】
【手続補正１０】
【補正対象書類名】明細書
【補正対象項目名】００５４
【補正方法】削除
【補正の内容】
【手続補正書】
【提出日】平成15年8月21日(2003.8.21)
【手続補正１】
【補正対象書類名】明細書
【補正対象項目名】特許請求の範囲
【補正方法】変更
【補正の内容】
【特許請求の範囲】
【請求項１】
ポリシリコン膜と、その上に形成されたタングステン膜とを有する構造においてタングステン膜をエッチングするエッチング方法であって、
エッチングガスとして、Ｏ２ガスおよびＣｌ２ガスにフッ素含有ガスを加えたものを用いてポリシリコン膜に対して選択的にタングステン膜をエッチングすることを特徴とするエッチング方法。
【請求項２】
前記フッ素含有ガスはＣＦ４であることを特徴とする請求項１に記載のエッチング方法。
【請求項３】
Ｏ２ガス、Ｃｌ２ガスおよびＣＦ４ガスの流量全体を１０とした場合に、Ｏ２ガスの流量は４〜６、Ｃｌ２ガスの流量は２〜３の範囲であることを特徴とする請求項２に記載のエッチング方法。
【請求項４】
Ｏ２ガス、Ｃｌ２ガスおよびＣＦ４ガスの流量比が４：２：４であることを特徴とする請求項３に記載のエッチング方法。
【請求項５】
Ｏ２ガス、Ｃｌ２ガスおよびＣＦ４ガスの流量比が６：２：２であることを特徴とする請求項３に記載のエッチング方法。
【請求項６】
ポリシリコン膜とタングステン膜との間にバリア層を有することを特徴とする請求項１ないし請求項５のいずれか１項に記載のエッチング方法。
【請求項７】
前記バリア層は窒化タングステンで構成されていることを特徴とする請求項６に記載のエッチング方法。
【請求項８】
半導体基板上に絶縁膜を介してポリシリコン膜を形成する工程と、その上にタングステン膜を形成する工程と、タングステン膜とポリシリコン膜とを順次エッチングしてゲートを形成する工程とを有する半導体装置の製造方法であって、
前記ゲートを形成する工程において、タングステン膜をエッチングするに際し、エッチングガスとして、Ｏ２ガスおよびＣｌ２ガスにフッ素含有ガスを加えたものを用いてポリシリコン膜に対して選択的にタングステン膜をエッチングすることを特徴とする半導体装置の製造方法。
【請求項９】
前記フッ素含有ガスはＣＦ４ガスであることを特徴とする請求項８に記載の半導体装置の製造方法。
【請求項１０】
タングステン膜をエッチングするに際し、Ｏ２ガス、Ｃｌ２ガスおよびＣＦ４ガスの流量全体を１０とした場合に、Ｏ２ガスの流量は４〜６、Ｃｌ２ガスの流量は２〜３の範囲であることを特徴とする請求項９に記載の半導体装置の製造方法。
【請求項１１】
タングステン膜をエッチングするに際し、Ｏ２ガス、Ｃｌ２ガスおよびＣＦ４ガスの流量比が４：２：４であることを特徴とする請求項１０に記載の半導体装置の製造方法。
【請求項１２】
タングステン膜をエッチングするに際し、Ｏ２ガス、Ｃｌ２ガスおよびＣＦ４ガスの流量比が６：２：２であることを特徴とする請求項１０に記載の半導体装置の製造方法。
【請求項１３】
ポリシリコン膜とタングステン膜との間にバリア層を形成する工程をさらに有し、前記ゲートを形成する工程は、タングステン膜とバリア層とポリシリコン膜を順次エッチングすることを特徴とする請求項８ないし請求項１２のいずれか１項に記載の半導体装置の製造方法。
【請求項１４】
前記バリア層は窒化タングステンで構成されていることを特徴とする請求項１３に記載の半導体装置の製造方法。
【請求項１５】
前記ゲートを形成する工程において、ポリシリコン膜をエッチングするに際し、エッチングガスとして、ＨＢｒガス、またはＨＢｒガスおよびＣｌ２ガスを用いることを特徴とする請求項８ないし請求項１４のいずれか１項に記載の半導体装置の製造方法。
【手続補正２】
【補正対象書類名】明細書
【補正対象項目名】０００２
【補正方法】変更
【補正の内容】
【０００２】
【従来の技術】
ＭＯＳ型半導体デバイスの製造においては、従来、シリコン基板に代表される半導体基板上にゲート酸化膜を介してポリシリコン（ｐｏｌｙ−Ｓｉ）膜およびタングステンシリサイド（ＷＳｉ）膜を形成し、これをドライエッチングすることにより、２層構造のゲートを形成している。このようにｐｏｌｙ−Ｓｉ膜の上にＷＳｉ膜を形成することにより、ゲート電極の低抵抗化を図っている。このＷＳｉ膜をｐｏｌｙ−Ｓｉ膜に対して選択的にエッチングする際には、通常、エッチングガスとしてＯ２ガスおよびＣｌ２ガスを用いている。


【手続補正３】
【補正対象書類名】明細書
【補正対象項目名】０００６
【補正方法】変更
【補正の内容】
【０００６】
上記課題を解決するために、本発明は、ポリシリコン膜と、その上に形成されたタングステン膜とを有する構造においてタングステン膜をエッチングするエッチング方法であって、
エッチングガスとして、Ｏ２ガスおよびＣｌ２ガスにフッ素含有ガスを加えたものを用いてポリシリコン膜に対して選択的にタングステン膜をエッチングすることを特徴とするエッチング方法を提供する。


【手続補正４】
【補正対象書類名】明細書
【補正対象項目名】０００７
【補正方法】変更
【補正の内容】
【０００７】
また、本発明は、半導体基板上に絶縁膜を介してポリシリコン膜を形成する工程と、その上にタングステン膜を形成する工程と、タングステン膜とポリシリコン膜とを順次エッチングしてゲートを形成する工程とを有する半導体装置の製造方法であって、
前記ゲートを形成する工程において、タングステン膜をエッチングするに際し、エッチングガスとして、Ｏ２ガスおよびＣｌ２ガスにフッ素含有ガスを用いてポリシリコン膜に対して選択的にタングステン膜をエッチングすることを特徴とする半導体装置の製造方法を提供する。
【手続補正書】
【提出日】平成15年12月2日(2003.12.2)
【手続補正１】
【補正対象書類名】明細書
【補正対象項目名】特許請求の範囲
【補正方法】変更
【補正の内容】
【特許請求の範囲】
【請求項１】
クロック回復回路であって、
送信機クロックと実質的に同一の周波数を持つ発振器信号を生成するための、およびバイアス信号を生成するための第一の位相固定ループ（ＰＬＬ）回路と、
クロック出力信号を生成するための第二のＰＬＬ回路とを備え、この第二のＰＬＬ回路は第一のモードにおいては前記第一のＰＬＬ回路によって生成される前記バイアス信号によって制御され、前記第二のＰＬＬ回路は、前記第二のＰＬＬ回路が前記バイアス信号によって決定された初期周波数を持つ場合に第二のモードをもち、前記第二のＰＬＬ回路が前記クロック出力信号を入力データ流内のデータの位相変化に対して実質的に瞬間に調節するようになっていること特徴とするクロック回復回路。
【請求項２】
前記第一と第二のモード間の遷移が伝送ゲート又はスイッチによって制御されることを特徴とする請求項１記載のクロック回復回路。
【請求項３】
前記第一と第二のモード間の遷移が前記第一のＰＬＬからのバイアス電流又は電圧を前記第二のＰＬＬに選択的に加えるデバイスによって制御されることを特徴とする請求項１記載のクロック回復回路。
【請求項４】
さらに、ジッタを補償されたクロックおよびデータ出力を生成するためのエラスティックメモリ回路を備えることを特徴とする請求項１記載のクロック回復回路。
【請求項５】
前記第一と第二のＰＬＬが一つあるいは複数の予め定義された比に従って異なる周波数にて動作することを特徴とする請求項１記載のクロック回復回路。
【請求項６】
入りデータ流からクロック信号を回復するための方法であって、
第一の位相固定ループ（ＰＬＬ）回路を送信機クロックと実質的に同一の周波数にて動作するローカルクロック信号に同調させるステップであって、前記第一のＰＬＬ回路がバイアス信号を生成するようなステップと、
第一のモードにおいて前記バイアス信号を第二のＰＬＬ回路に印加するステップであって、前記第二のＰＬＬ回路が前記第一のモードにおいては前記バイアス信号にて決定される周波数を持つクロック出力信号を生成するステップと、
第二のモードにおいて前記バイアス信号を前記第二のＰＬＬ回路から除去するステップであって、前記第二のＰＬＬ回路が前記第二のモードにおいて前記バイアス信号によって決定された初期周波数を持ち、これにより前記第二のＰＬＬが前記第二のモードにおいて前記クロック出力信号を前記入りデータ流のデータの位相変化へと実質的に瞬間に調節するステップとを含むことを特徴とする方法。
【請求項７】
前記第一と第二のモード間の遷移が伝送ゲート又はスイッチによって制御されることを特徴とする請求項６記載の方法。
【請求項８】
前記第一と第二のモード間の遷移が前記第一のＰＬＬからのバイアス電流又は電圧を前記第二のＰＬＬに選択的に加えるデバイスによって制御されることを特徴とする請求項６記載の方法。
【請求項９】
クロック回復回路であって、
送信機クロックと実質的に同一の周波数を持つ発振器信号を生成するための、およびバイアス信号を生成するための第一の位相固定ループ（ＰＬＬ）回路と、
クロック出力信号を生成するための第二のＰＬＬ回路とを備え、前記第二のＰＬＬが最初は前記バイアス信号によって決定される周波数を持ち、前記第二のＰＬＬ回路が前記入力データ流が受信された時点で前記クロック出力信号を入力データ流のデータの位相変化に対して実質的に瞬間に調節するようになっていることを特徴とするクロック回復回路。
【請求項１０】
クロック回復回路であって、
送信機クロックと実質的に同一の周波数を持つ発振器信号を生成するため、およびバイアス信号を生成するための第一の位相固定ループ（ＰＬＬ）回路；
制御入力に従ってクロック出力信号を生成するための第二のＰＬＬ回路；
入り参照信号と前記クロック出力信号間の位相差を示す誤り信号を生成するための位相検出器；および
前記制御入力に前記バイアス信号と前記誤り信号のいずれを加えるかを選択するためのマルチプレクサを備えることを特徴とするクロック回復回路。
【請求項１１】
前記クロック出力信号が第二のモードにおいて、前記データ流が受信された時点で、入力データ流のデータの位相変化に合わせられることを特徴とする請求項１０記載のクロック回復回路。
【請求項１２】
前記マルチプレクサが第一のモードにおいて前記バイアス信号を選択し、前記第二のＰＬＬが前記バイアス信号にて決定される初期周波数を持つことを特徴とする請求項１０記載のクロック回復回路。
【請求項１３】
前記マルチプレクサが第二のモードにおいて前記誤り信号を選択し、前記第二のＰＬＬが前記クロック出力信号を入力データ流内のデータの位相変化に実質的に瞬間的に合わせることを特徴とする請求項１０記載のクロック回復回路。
【手続補正書】
【提出日】平成15年10月10日(2003.10.10)
【手続補正１】
【補正対象書類名】明細書
【補正対象項目名】発明の名称
【補正方法】変更
【補正の内容】
【発明の名称】表示用コンテンツを作成する情報処理装置、プログラム、及び、モバイル向けマークアップ言語を記述するシステム


【手続補正２】
【補正対象書類名】明細書
【補正対象項目名】特許請求の範囲
【補正方法】変更
【補正の内容】
【特許請求の範囲】
【請求項１】
通信装置に表示されるコンテンツを作成する情報処理装置において、
画像を分割した部分画像のそれぞれを、通信装置が有する複数の操作キーのそれぞれに関連付けて配置したコンテンツを作成する生成手段を有し、前記部分画像に関連付けられている操作キーが操作されると、対応する部分画像の拡大画像を表示することを特徴とする情報処理装置。
【請求項２】
通信装置に表示されるコンテンツを作成するプログラムにおいて、
画像を分割した部分画像のそれぞれを、通信装置が有する複数の操作キーのそれぞれに関連付けて配置し、前記部分画像に関連付けられている操作キーが操作されると、対応する部分画像の拡大画像が表示されるようにコンテンツを作成することを特徴とするプログラム。
【請求項３】
モバイル向けマークアップ言語で記述した画像を含むコンテンツを、ブラウザー搭載の携帯型装置に提供するサーバーを有するシステムにおいて、
前記画像を分割し、前記分割した複数の画像を、前記携帯型装置が有する複数の操作キーと同じ位置関係になるように配列させ、かつ、前記操作キーが前記携帯型装置で操作されると、操作されたキーと同じ位置関係にある画像が拡大表示されるように、前記モバイル向けマークアップ言語を記述することを特徴とするシステム。
【請求項４】
請求項３において、
前記携帯型装置が有する操作キーは、電話番号の入力に利用されるテンキーを含むことを特徴とするシステム。
【請求項５】
請求項３において、
前記システムは、前記システムにアクセスしてきた携帯型装置の種類を識別する識別手段を有し、
前記分割された画像を、前記識別手段により識別した携帯型装置の種類に応じたサイズに縮小することを特徴とするシステム。
【請求項６】
請求項３において、
前記分割された画像を、前記システムにアクセスしてきた携帯型装置の表示画面のサイズに応じて縮小することを特徴とするシステム。
【請求項７】
請求項３において、
前記拡大表示の際に使用される拡大表示用の画像は、前記携帯型装置が前記システムのアクセスしてきたときに作成されることを特徴とするシステム。
【請求項８】
請求項３において、
前記拡大表示の際に使用される拡大表示用の画像は、前記携帯型装置から拡大表示用の画像が要求されたときに作成されることを特徴とするシステム。
【手続補正３】
【補正対象書類名】明細書
【補正対象項目名】０００１
【補正方法】変更
【補正の内容】
【０００１】
【発明の属する技術分野】
本発明は、表示用コンテンツを作成する情報処理装置、プログラム、及び、モバイル向けマークアップ言語を記述するシステムに関する。


【手続補正４】
【補正対象書類名】明細書
【補正対象項目名】０００９
【補正方法】変更
【補正の内容】
【０００９】
上記目的を達成するために本発明は、通信装置に表示されるコンテンツを作成する情報処理装置において、画像を分割した部分画像のそれぞれを、通信装置が有する複数の操作キーのそれぞれに関連付けて配置したコンテンツを作成する生成手段を有し、前記部分画像に関連付けられている操作キーが操作されると、対応する部分画像の拡大画像を表示することを特徴とする情報処理装置を提供する。


【手続補正５】
【補正対象書類名】明細書
【補正対象項目名】００１０
【補正方法】変更
【補正の内容】
【００１０】
また、通信装置に表示されるコンテンツを作成するプログラムにおいて、画像を分割した部分画像のそれぞれを、通信装置が有する複数の操作キーのそれぞれに関連付けて配置し、前記部分画像に関連付けられている操作キーが操作されると、対応する部分画像の拡大画像が表示されるようにコンテンツを作成することを特徴とするプログラムを提供する。


【手続補正６】
【補正対象書類名】明細書
【補正対象項目名】００１１
【補正方法】変更
【補正の内容】
【００１１】
また、モバイル向けマークアップ言語で記述した画像を含むコンテンツを、ブラウザー搭載の携帯型装置に提供するサーバーを有するシステムにおいて、前記画像を分割し、前記分割した複数の画像を、前記携帯型装置が有する複数の操作キーと同じ位置関係になるように配列させ、かつ、前記操作キーが前記携帯型装置で操作されると、操作されたキーと同じ位置関係にある画像が拡大表示されるように、前記モバイル向けマークアップ言語を記述することを特徴とするシステムを提供する。


【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正書】
【提出日】平成15年11月21日(2003.11.21)
【手続補正１】
【補正対象書類名】明細書
【補正対象項目名】特許請求の範囲
【補正方法】変更
【補正の内容】
【特許請求の範囲】
【請求項１】
密封ケーシングの両壁間に回転自在に平行架設支持した主軸及び従動軸それぞれに固定した歯車を、前記ケーシング内において噛み合わせると共に、同ケーシング外において前記主軸及び従動軸の両端それぞれにクランクピンを固定し、前記いずれかの歯車に係合した原動ピニオンを前記ケーシング外から回転して前記主軸及び従動軸を相反する方向に連動回転させる手段と、前記主軸の両端のメインクランクピンに連結する２本のメインガイドと、前記従動軸両端の従動クランクピンに連結し且つ前記２本のメインガイドをスライド自在に支持する棒状の従動スライダーと、前記両メインガイド間に架設する一側シールバー及び、前記シールバーと対向するように前記両従動スライダー間に架設した他側シールバーとにより構成する装置。
【請求項２】
密封ケーシングの両壁間に支持する補助軸に固定した補助歯車と、主軸に固定した歯車とを前記の密封ケーシング内で係合すると共に、前記補助軸両端それぞれに固定した補助クランクピンと、メインクランクピンを隔てる従動軸のクランクピンとで従動スライダーを支持する請求項１に記載の装置。
【請求項３】
密封ケーシング内に潤滑剤を貯留した請求項１及び２それぞれに記載の装置。
【手続補正２】
【補正対象書類名】明細書
【補正対象項目名】００１０
【補正方法】変更
【補正の内容】
【００１０】
前記図面の平面断面視である図３に示すごとく、黒墨で断面を表す立体型ケーシング２０の壁の外側に、フレーム３４を介してサーボモータ３５を設置する。当該モータは出力速度を周期変速させるためのコントロール性を備えるもので、このコントロールには例えばインバータ装置を用いて行なうことも可能である。そこで前記モータ３５の軸に固定した小径プーリ３６と、前記ケーシング２０に支持した原動軸３７の大径プーリ３８とをタイミングベルト３９を介して連係し、サーボモータ３５の動力を、既に説明した原動ピニオン２８から母体歯車２７を介して主軸３１に回転動力として伝えるもので、後述するごとく前記主軸３１両端の各クランクピン２４の周りにそれぞれメインガイド４０の下端を支持する。


【手続補正３】
【補正対象書類名】明細書
【補正対象項目名】００１１
【補正方法】変更
【補正の内容】
【００１１】
すなわち図１に簡略的に示すごとく、主軸３１両端のクランクピン２４が支える両メインガイド４０は、その上端に一側のシールバー５１を架設支持し、一方従動軸３２のクランクピン２５と、補助軸３３のクランクピン２６とで支えるスライダー４１の上端に、他側のシールバー５２を支持する。なおより具体的には図４のごとく、前記メインガイド４０は縦長な板材からなり、その上下に固定したスリーブ４２、４３は、２本の棒材からなるスライダー４１をスライド自在に抱え込む。また前記のメインガイド４０の中間の縦長スリット４０aに従動クランクピン２５が係合し、該クランクピン２５が貫通するピン受け板４１aは、２本の棒材からなるスライダー４１に固定する。前記スリーブ４３に係合するメインクランクピン２４の時計方向への公転運動でメインガイド４０は上下動するが、該メインガイド４０に対し、従動スライダー４１の上下のピン受け板４１a、４１bに係合する従動クランクピン２５と、補助クランクピン２６との公転運動で上下動するスライダー４１は、前記メインガイド４０の動きとは対称的に逆移動する。この結果上下両シールバー５１、５２はそれぞれ相対円運動を行いながら開閉し、僅かな領域で互いに圧接して熱可塑性フイルムを挟圧加熱シールするのである。


【手続補正４】
【補正対象書類名】明細書
【補正対象項目名】００１２
【補正方法】変更
【補正の内容】
【００１２】
図５は一側のシールバーの断面であり、パイプヒータ４４及びカッター４５を備えるシールバー５２を架材４６に対してガイドピン４７を介して支持すると共に、前記シーラ５２と架材４７との間に張りばね４８を介設している。このため図４に置いて互いに逆方向に回転して圧接する上下一対のシールバー５１、５２に、前記ばね４８の圧縮による僅かな圧接時間を形成できるのである。なお一側をメインガイド４０、他側をスライダー４１なる名称を付したが、これら名称の関係は互いに入れ替わっても差し支えは生ずることはない。


【手続補正５】
【補正対象書類名】図面
【補正対象項目名】図４
【補正方法】変更
【補正の内容】
【図４】
2003112711.tif 000001
【手続補正書】
【提出日】平成15年12月16日(2003.12.16)
【手続補正１】
【補正対象書類名】明細書
【補正対象項目名】請求項４
【補正方法】変更
【補正の内容】
【請求項４】
該筒体が分解・組み立て可能であり、該フィルターが交換可能な形態で該筒体に付設されている請求項３に記載の濾過機構。
【手続補正２】
【補正対象書類名】明細書
【補正対象項目名】０００６
【補正方法】変更
【補正の内容】
【０００６】
【課題を解決するための手段】
本発明者らは、上記課題を解決すべく鋭意研究した結果、本発明を完成するに至った。
即ち、本発明によれば、以下に示すスラリー液の濾過方法、濾過機構及び濾過装置が提供される。
（１）スラリー液を濾過する方法において、下端部にフィルターを付設した筒体を内部に立設した容器内に収容させたスラリー液に遠心力を作用させて、該スラリー液を該筒体の下端部から上方に移動させると共に、該フィルターにより該スラリー液を濾過することを特徴とするスラリー液の遠心濾過方法。
（２）該スラリー液が、土壌溶出液である前記（１）に記載の濾過方法。
（３）容器と、該容器内に立設させる下端部にフィルターを付設した筒体とからなる遠心濾過機構。
（４）該筒体が分解・組み立て可能であり、該フィルターが交換可能な形態で該筒体に付設されている前記（３）に記載の濾過機構。
（５）該容器及び該筒体がガラス製である前記（３）又は（４）に記載の濾過機構。
（６）該容器及び該筒体がポリエチレン、ポリプロピレン、ポリスチレンの中から選ばれた１種の樹脂製である前記（３）又は（４）に記載の濾過機構。
（７）前記（３）〜（６）のいずれかに記載した濾過機構と遠心機からなる遠心濾過装置。
【手続補正書】
【提出日】平成15年9月29日(2003.9.29)
【手続補正１】
【補正対象書類名】明細書
【補正対象項目名】００５７
【補正方法】変更
【補正の内容】
【００５７】
図１において、シーケンスコントローラ１は、まず、Ｐ像の位置をもとに仮の瞳孔中心位置Ｃ0 を決める。２個のＰ像座標のうち、左側を（ＩＰ1 ，ＪＰ1 ）、右側を（ＩＰ2 ，ＪＰ2 ）として、仮の瞳孔中心位置Ｃ0 の座標（ＩＣ・ＪＣ）を
ＩＣ←（ＩＰ1 ＋ＩＰ2 ）／２
ＪＣ←（ＪＰ1 ＋ＪＰ2 ）／２−１０
とする（ステップ＃１０１）。
【手続補正書】
【提出日】平成15年9月22日(2003.9.22)
【手続補正１】
【補正対象書類名】明細書
【補正対象項目名】特許請求の範囲
【補正方法】変更
【補正の内容】
【特許請求の範囲】
【請求項１】
本体内に収納された送風手段および発熱手段と、前記本体の下部に設けた送風吹出ノズルと、この送風吹出ノズルの下方に乾燥空間を介して設けた水受け皿と、この水受け皿に形成した水抜き穴と、この水抜き穴の下方に着脱可能に設けた水受けカップを有し、前記水抜き穴を一体に形成した手乾燥装置。
【請求項２】
水受けカップの上面を覆う蓋と、この蓋に開孔する流入穴を有し、この流入穴を水受け皿の水抜き穴の直下を外した位置に設けた請求項１記載の手乾燥装置。
【手続補正２】
【補正対象書類名】明細書
【補正対象項目名】０００９
【補正方法】変更
【補正の内容】
【０００９】
【発明の実施の形態】
本発明は、本体内に収納された送風手段および発熱手段と、前記本体の下部に設けた送風吹出ノズルと、この送風吹出ノズルの下方に乾燥空間を介して設けた水受け皿と、この水受け皿に形成した水抜き穴と、この水抜き穴の下方に着脱可能に設けた水受けカップを有し、前記水抜き穴を一体に形成したものであり、この筒部は送風吹出ノズルより送風される勢いの強い温風が、水受け皿の水抜き穴から水受けカップへと流れるときに急拡散するのを防いで笛音の発生を少なく抑え、さらに水受けカップ内で共鳴した騒音が水抜き穴から外方へ拡散するのを防止するという作用を有する。
【手続補正書】
【提出日】平成15年9月11日(2003.9.11)
【手続補正１】
【補正対象書類名】明細書
【補正対象項目名】特許請求の範囲
【補正方法】変更
【補正の内容】
【特許請求の範囲】
【請求項１】
パチンコ機の裏面側の機構板に設けられており、そのパチンコ機の表面側からガラス枠，ベース枠，支持枠を貫通して設けた通し穴により行われるオペレータの作動指令を検出するだけでなく、前記裏面側から前記支持枠の前記通し穴近傍に設けられ検出手段に通ずるスリットを介して前記通り穴と同じ方向に行われる前記作動指令をも検出可能な検出手段と、
その検出手段から出力される信号に従って、そのパチンコ機に設けられている所定の可動部材を作動させる可動部材作動手段と、
を有することを特徴とするパチンコ機。
【手続補正２】
【補正対象書類名】明細書
【補正対象項目名】０００４
【補正方法】変更
【補正の内容】
【０００４】
【課題を解決するための手段】
本発明のパチンコ機は、パチンコ機の裏面側の機構板に設けられており、そのパチンコ機の表面側からガラス枠，ベース枠，支持枠を貫通して設けた通し穴により行われるオペレータの作動指令を検出するだけでなく、前記裏面側から前記支持枠の前記通し穴近傍に設けられ検出手段に通ずるスリットを介して前記通り穴と同じ方向に行われる前記作動指令をも検出可能な検出手段と、その検出手段から出力される信号に従って、そのパチンコ機に設けられている所定の可動部材を作動させる可動部材作動手段とを有することを特徴とする。
本発明によれば、オペレータはパチンコ機の裏面側の機構板に設けられている検出手段に対して、表面側から通し穴を通じて作動指令が行えるだけでなく、裏面側からスリットを通じて作動指令が行える。この検出手段から出力される信号に従って、可動部材作動手段がパチンコ機に設けられている所所定の可動部材を作動させる。そのため、所定の可動部材についての作動指令および動作確認は、パチンコ機の裏面側からのみでも行えるようになる。こうして、パチンコ機に設けられている所定の可動部材について、パチンコ機の裏面側から作動指令および動作確認が簡単に行えるので、その作業性を向上させることができる。
ここで、パチンコ機に設けられている所定の可動部材としては、上記球抜き機構を構成する部材の他に、パチンコ球を発射したり、その発射を一時的に停止する発射停止機構を構成する部材等がある。


【手続補正３】
【補正対象書類名】明細書
【補正対象項目名】００６７
【補正方法】変更
【補正の内容】
【００６７】
以下、裏面側の特徴的な構成部分について詳述する。
１．球抜き機構
まず球抜き機構について、図２６〜図２８を参照しながら説明する。図２６（Ａ）には、球抜き機構にかかる通し穴を正面図で示す。図２６（Ｂ）には、球抜き機構の作動を側断面図で示す。この球抜き機構は、パチンコ機１００の修理や入れ替え等の際において、球タンク７０６等に貯留されているパチンコ球を全て排出する機能を有する。
図２６および図２７において、球抜き機構は、通し穴８００，球抜き分岐片作動スイッチ７５２，分岐片７２２，ソレノイド８１４，球排出指令スイッチ８１６等によって構成されている。通し穴８００は、図２６（Ａ）に示すように、パチンコ機１００の正面側から見ると飾り窓２０４ａの近傍（図では左下側）に設けられている。この通し穴８００は、図２６（Ｂ）に示すように、ガラス枠２００，ベース枠５００，支持枠７０１を貫通して設けられている。通し穴８００に面する機構板７００には、その通し穴８００にスイッチバー７５２ａを向けて球抜き分岐片作動スイッチ７５２が設けられている。この球抜き分岐片作動スイッチ７５２は、ソレノイド８１４を駆動する信号を枠制御装置７５８に送る。図２７（Ａ）に示すソレノイド８１４は枠制御装置７５８からの指令に従って、連結棒８１０を通じて分岐片７２２を左右方向に揺動する。また、球排出指令スイッチ８１６は、ソレノイド８１４を所定時間保持するための信号を枠制御装置７５８に送るとともに、球送り機構を作動させ球抜き動作を開始する信号を送る。
【手続補正書】
【提出日】平成15年10月24日(2003.10.24)
【手続補正１】
【補正対象書類名】明細書
【補正対象項目名】特許請求の範囲
【補正方法】変更
【補正の内容】
【特許請求の範囲】
【請求項１】
論理演算回路として構成され遊技内容を司る制御基盤と、
該制御基盤を収納する収納ケースの蓋を着脱する着脱手段と、
を少なくとも含み構成された遊技機において、
カウント手段と、
前記収納ケースの蓋を前記着脱手段により着装する又は取り外す毎に、前記カウント手段のカウント数を更新する着脱回数更新手段と、
前記カウント数を前記収納ケースの外部から視認できるように表示するカウント数表示手段と、
を備えたことを特徴とする遊技機。
【請求項２】
カウント手段のリセットを防止するリセット防止手段を備えたことを特徴とする請求項１に記載の遊技機。
【請求項３】
前記収納ケースは、上蓋と、下蓋とを有し、
前記着脱手段は、前記上蓋及び前記下蓋の一方に固定された弾性拘止片と、前記上蓋及び前記下蓋の他方に設けられた係合爪と、ロック片とを有し、
前記上蓋及び前記下蓋は、前記弾性拘止片と前記係合爪とが係合することで合体し、前記ロック片を操作して前記弾性拘止片と前記係合爪との係合を解除して開放するように構成され、
前記カウント手段は、往復動片と歩進機構とを有し、前記上蓋又は前記下蓋に固定され、
前記上蓋又は前記下蓋に、前記往復動片が上下運動できるように、壁で囲まれた往復動空間を設けたことを特徴とする請求項１又は請求項２に記載の遊技機。
【請求項４】
前記往復動空間の壁上部には前記係合爪が設けられ、
前記上蓋及び前記下蓋が合体するときに、前記往復動片が前記弾性拘止片によって押下げられる往動運動により、前記歩進機構が動作して前記カウント数を更新することを特徴とする請求項３に記載の遊技機。
【請求項５】
前記往復動空間の壁上部には前記係合爪が設けられ、
前記上蓋及び前記下蓋が開放するときに、前記往復動片が付勢力によって押上げられる復動運動により、前記歩進機構が動作して前記カウント数を更新することを特徴とする請求項３に記載の遊技機。
【手続補正２】
【補正対象書類名】明細書
【補正対象項目名】０００５
【補正方法】変更
【補正の内容】
【０００５】
【課題を解決するための手段】
上記諸課題に鑑み、請求項１記載の発明はなされたものであり、論理演算回路として構成され遊技内容を司る制御基盤と、該制御基盤を収納する収納ケースの蓋を着脱する着脱手段と、を少なくとも含み構成された遊技機において、カウント手段と、前記収納ケースの蓋を前記着脱手段により着装する又は取り外す毎に、前記カウント手段のカウント数を更新する着脱回数更新手段と、前記カウント数を前記収納ケースの外部から視認できるように表示するカウント数表示手段と、を備えたことを特徴とする遊技機としたものである。監督機関等がカウント数を確認することにより、蓋の脱着回数が変化したかどうかを確認することができ、これにより、不正を容易に発見することができる。カウント手段としは、数取器等の機械的カウンタ、又は電子カウンタであることが好適である。


【手続補正３】
【補正対象書類名】明細書
【補正対象項目名】０００８
【補正方法】変更
【補正の内容】
【０００８】
また、前記着脱手段が前記収納ケースの蓋を電気的に開閉する電気アクチュエータからなること、前記収納ケースに設けた開閉操作部からの信号に基づいて、前記独立論理演算回路が前記電気アクチュエータの開閉を許可することとする構成も可能であり、また、開閉操作部を暗証番号で操作できるようにするとより一層セキュリティーが高まる。
さらに、請求項３記載の発明は、前記収納ケースは、上蓋と、下蓋とを有し、前記着脱手段は、前記上蓋及び前記下蓋の一方に固定された弾性拘止片と、前記上蓋及び前記下蓋の他方に設けられた係合爪と、ロック片とを有し、前記上蓋及び前記下蓋は、前記弾性拘止片と前記係合爪とが係合することで合体し、前記ロック片を操作して前記弾性拘止片と前記係合爪との係合を解除して開放するように構成され、前記カウント手段は、往復動片と歩進機構とを有し、前記上蓋又は前記下蓋に固定され、前記上蓋又は前記下蓋に、前記往復動片が上下運動できるように、壁で囲まれた往復動空間を設けたことを特徴とする請求項１又は請求項２に記載の遊技機としたものである。
請求項４記載の発明は、前記往復動空間の壁上部には前記係合爪が設けられ、前記上蓋及び前記下蓋が合体するときに、前記往復動片が前記弾性拘止片によって押下げられる往動運動により、前記歩進機構が動作して前記カウント数を更新することを特徴とする請求項３に記載の遊技機としたものである。
請求項５記載の発明は、前記往復動空間の壁上部には前記係合爪が設けられ、前記上蓋及び前記下蓋が開放するときに、前記往復動片が付勢力によって押上げられる復動運動により、前記歩進機構が動作して前記カウント数を更新することを特徴とする請求項３に記載の遊技機としたものである。


【手続補正４】
【補正対象書類名】明細書
【補正対象項目名】００１９
【補正方法】変更
【補正の内容】
【００１９】
【発明の効果】
請求項１乃至５記載の発明によれば、不正者が収納ケースを開けて不正なＲＯＭ交換等の不正行為を行ったとしても、蓋の着脱回数が変化して表示されることにより、不正行為を未然に防止するとともに、検査機関又は監督機関が不正ＲＯＭ等を極めて簡単に発見できるという利点がある。主基盤を含むケ−スのまるごとの偽造も有効に防止できる利点がある。
【手続補正書】
【提出日】平成15年9月30日(2003.9.30)
【手続補正１】
【補正対象書類名】明細書
【補正対象項目名】特許請求の範囲
【補正方法】変更
【補正の内容】
【特許請求の範囲】
【請求項１】
プレーヤが操作情報を入力する操作手段と、
前記操作手段からの操作情報及び所与のプログラムに基づいてゲーム画像を合成する手段と、
前記操作手段からの操作情報に基づいて、ゲームの終了予定時間を設定する手段と、
設定された前記終了予定時間に基づいて、前記終了予定時間付近でゲームが終了するようにスケジューリングを行うスケジューリング手段と、
を含むことを特徴とするゲーム装置。
【請求項２】
請求項１において、
前記スケジューリング手段が、
ゲームが進行した時の現在時刻に基づいて残り時間を算出し、残り時間が零の場合にはゲームを終了する処理を行い、残り時間が零よりも大きい場合には、算出された残り時間及びゲーム進行状況に基づいて再スケジューリングを行うことを特徴とするゲーム装置。
【請求項３】
請求項１又は２において、
前記スケジューリング手段が、
前記終了予定時間の設定に基づいて、ゲームクリアの単位であるゲーム単位の時間長又は数を変化させることを特徴とするゲーム装置。
【請求項４】
請求項３において、
前記ゲーム単位は、競争ゲームにおけるコース、ロールプレイングゲームにおけるイベント、クイズゲームにおける問題、格闘技ゲームにおけるゲームステージであることを特徴とするゲーム装置。
【請求項５】
請求項１乃至４のいずれかにおいて、
前記スケジューリング手段が、
前記終了予定時間の設定に基づいて、プレーヤが前記操作手段を用いてゲームプレイを行うプレイモード以外のモードの時間長又は数を変化させることを特徴とするゲーム装置。
【請求項６】
請求項５において、
前記プレイモード以外の前記モードは、各プレイモードの間に挿入されるインターミッションモード、或いはゲームの最後に行われるエンディングモードであることを特徴とするゲーム装置。
【請求項７】
請求項１乃至６のいずれかにおいて、
前記スケジューリング手段が、
前記終了予定時間の設定に基づいて、プレーヤがゲームプレイを行うゲームフィールドの形状を変化させることを特徴とするゲーム装置。
【請求項８】
請求項７において、
コース上の各サンプル点での平面位置データ、高さデータ、バンク角データの設定に基づいてコースを自動生成する手段を含み、
前記スケジューリング手段が、
前記終了予定時間の設定に基づいて、前記自動生成手段により自動生成されるコースの長さを変化させることを特徴とするゲーム装置。
【請求項９】
請求項１乃至８のいずれかにおいて、
前記スケジューリング手段が、
前記終了予定時間の設定に基づいて、ゲームの難易度を変化させることを特徴とするゲーム装置。
【請求項１０】
請求項１乃至９のいずれかにおいて、
前記スケジューリング手段が、
前記終了予定時間の設定に基づいて現在時刻が終了予定時刻に近づいたと判断した場合に、データセーブのための表示をプレーヤに対して表示し、プレーヤがデータのセーブを選択した場合に、セーブデータを記憶手段に記憶することを特徴とするゲーム装置。
【請求項１１】
請求項１乃至１０のいずれかにおいて、
前記終了予定時間をプレーヤに知らせるための情報を出力する手段を含むことを特徴とするゲーム装置。
【請求項１２】
プレーヤが操作情報を入力する操作手段からの操作情報及び所与のプログラムに基づいてゲーム画像を合成する手段と、
前記操作手段からの操作情報に基づいて、ゲームの終了予定時間を設定する手段と、
設定された前記終了予定時間に基づいて、前記終了予定時間付近でゲームが終了するようにスケジューリングを行うスケジューリング手段として、
コンピュータを機能させるプログラムを記憶したことを特徴とする情報記憶媒体。
【手続補正書】
【提出日】平成15年9月9日(2003.9.9)
【手続補正１】
【補正対象書類名】明細書
【補正対象項目名】請求項２
【補正方法】変更
【補正の内容】
【請求項２】
縮合多環構造を分子主鎖とする非晶性熱可塑性樹脂が下記の一般式(
１)で表わされる化学構造を含有する、一般式(１)で表わされる化学構造を誘導し得るモ
ノマーの単独重合体又は一般式(１)で表わされる化学構造を含有する、一般式(１)で表わされる化学構造を誘導し得るモノマーとエチレンとの共重合体である請求項１に記載の非晶性樹脂製アンプル：
【化１】
1998099409.tif 000001
［式中、Ｒ1〜Ｒ12は水素、アルキル基及びハロゲンから選ばれる基であって、互に別異
であってもよい。更に、Ｒ9及びＲ10から選ばれる１以上がＲ11及びＲ12から選ばれる１
以上と互に環を形成していてもよい。ｎは０以上の数である。Ｒ5〜Ｒ8が複数回出現する場合（ｎ≧２の場合）には、それらが互に別異でもよい］。
【手続補正２】
【補正対象書類名】明細書
【補正対象項目名】０００６
【補正方法】変更
【補正の内容】
【０００６】
【課題を解決するための手段】
本発明は下記の構成要件の結合によって所期の効果を奏するものである：(１)縮合多環構造を分子主鎖とする非晶性熱可塑性樹脂で形成された樹脂製アンプルであって、有底樹脂チューブにおいて相対的に大径の内容液収容部とそれに続く相対的に小径で先端が閉塞された切除用部とから形成されると共に、内容液収容部から切除用部への縮径の為の移行区域に設けられた略Ｖ字型のカット用頸部とそれを挟んで両側に位置する大径のフランジ部とを備えている非晶性樹脂製アンプル。
(２)縮合多環構造を分子主鎖とする非晶性熱可塑性樹脂が下記の一般式(１)で表わされる化学構造を含有する、一般式(１)で表わされる化学構造を誘導し得るモノマーの単独重合体又は一般式(１)で表わされる化学構造を含有する、一般式(１)で表わされる化学構造を誘導し得るモノマーとエチレンとの共重合体である前記項１に記載の非晶性樹脂製アンプル：


【手続補正３】
【補正対象書類名】明細書
【補正対象項目名】００１３
【補正方法】変更
【補正の内容】
【００１３】
この「縮合環構造を分子主鎖とする非晶性樹脂」として現在入手容易で実用に耐えるものの例は下記の２種類である：
＜樹脂-1＞下記の一般式(１)で表わされる化学構造を含有する非晶性樹脂用のモノマーとしては、ポリシクロポリエン類であって例えば、トリシクロデセン類、トリシクロドデセン類、トリシクロトリデセン類、トリシクロテトラデセン類、トリシクロペンタデセン類及びトリシクロヘキサデセン類；テトラシクロデセン類、テトラシクロドデセン類、テトラシクロトリデセン類、テトラシクロテトラデセン類、テトラシクロペンタデセン類及びテトラシクロヘキサデセン類；ペンタシクロデセン類、ペンタシクロドデセン類、ペンタシクロトリデセン類、ペンタシクロテトラデセン類、ペンタシクロペンタデセン類及びペンタシクロヘキサデセン類；ヘキサシクロデセン類、ヘキサシクロドデセン類、ヘキサシクロトリデセン類、ヘキサシクロテトラデセン類、ヘキサシクロペンタデセン類及びヘキサシクロヘキサデセン類を挙げることができ、好ましくはトリシクロテトラデセン類、テトラシクロドデセン類、ペンタシクロペンタデセン類、更に好ましくはテトラシクロドデセン類を挙げることができる。


【手続補正４】
【補正対象書類名】明細書
【補正対象項目名】００１８
【補正方法】変更
【補正の内容】
【００１８】
図１において１は非晶性樹脂製アンプル自体であって、略管状の樹脂製アンプル自体の長軸を含む断面（縦断面）における略中央付近には起伏区域(１１)が位置し、その区域の中に位置する最小径部分（カット用頸部）を境にして一方は切除用部(１２)、他方は内容液収容部(１３)で形成されている。切除用部(１２)における内容液収容部(１３)に近い側（「切除用部下段」と略称することがある）の末端（「切除用部下端」と称することがある）外壁にアンプルカット用頸部（「カット用頸部」と略称することがある）(１４)を包含する略Ｖ字型区域が位置し、このカット用頸部(１４)に隣接する内容液収容側には通常、アンプル長軸（１２x又は１３ｘ）に対して殆ど直交に近い急な傾斜(１３s)が形成されている。


【手続補正５】
【補正対象書類名】明細書
【補正対象項目名】００２３
【補正方法】変更
【補正の内容】
【００２３】
カット用頸部(１４)からは内容液収容部(１３)が始まり、この頸部(１４)から垂直に近い険しい傾斜(１３s)で下方へ向けて拡径して本体外壁面に到り、カット用区域(ＮＣ)が
完成される。本体長軸(１３ｘ)の正方向（上方向）に対する緩い傾斜の角度(傾角;α)は
３０〜６０度、好ましくは３５〜５０度に設定され、本体長軸(１３x)の正方向（上方向
）に対する険しい傾斜の角度(傾角;β)は左回りで９０〜１１０度、好ましくは９５〜１
０５度に設定される。


【手続補正６】
【補正対象書類名】明細書
【補正対象項目名】００２４
【補正方法】変更
【補正の内容】
【００２４】
上記の緩い傾斜(１２s)の意義は切除用部(１２)がカット（切除）される際に比較的容
易に折曲げられて切除され得る為に有益であることに求められる。他方、内容液収容部(
１３)の上端に位置する険しい傾斜(１３ｓ)の意義はカッターの当接位置を確定すると共
に、折曲げによる切除を容易にすることにある。


【手続補正７】
【補正対象書類名】明細書
【補正対象項目名】００４１
【補正方法】変更
【補正の内容】
【００４１】
本発明の樹脂製アンプル(１)を開封するには、その起伏区域(１１)におけるカット用頸部(１４)の外壁に対して切断手段例えば切断刃又は鑢等を樹脂製アンプル(１)の長軸に対して略垂直な面内で当接させることによって外壁面に切込みを印加し、この切込みを境界として内容液収容部(１３)と切除用部(１２)とを相互に反対方向へ強く引く等の作用によって切除用部(１２)が内容液収容部(１３)から分離される。


【手続補正８】
【補正対象書類名】図面
【補正対象項目名】図１
【補正方法】変更
【補正の内容】
【図１】
1998099409.tif 000002
【手続補正９】
【補正対象書類名】図面
【補正対象項目名】図２
【補正方法】変更
【補正の内容】
【図２】
1998099409.tif 000003